(57)【要約】【課題】  多心ケーブルの複数の心線の切断し、被覆を剥ぎ取る作業を効率良く行うことができるようにする。【解決手段】  多心ケーブルの心線５５を所定の長さに切断し、かつ被覆を剥ぎ取るケーブルストリッパー１であって、複数本の心線５５の先端側の部分及び後端側の部分を把持する本体部２と、該本体部２に設けられるとともに、前記複数本の心線５５を同時に切断可能な心線切断部２６と、前記本体部２に設けられるとともに、前記複数本の心線５５の被覆を同時に剥ぎ取り可能な被覆剥取部３８とを備える。本体部２で心線５５の先端側の部分及び後端側の部分を把持し、この状態で、心線切断部２６を操作することにより、複数の心線５５を所定の長さに切断することができ、さらに、被覆剥取部３８を操作することにより、心線５５の被覆を剥ぎ取ることができる。【選択図】  図１
2013162729.tif 000002
【特許請求の範囲】
【請求項１】
多心ケーブルの心線を所定の長さに切断し、かつ被覆を剥ぎ取るケーブルストリッパーであって、
複数本の心線の先端側の部分及び後端側の部分を把持する本体部と、該本体部に設けられるとともに、前記複数本の心線を同時に切断可能な心線切断部と、前記本体部に設けられるとともに、前記複数本の心線の被覆を同時に剥ぎ取り可能な被覆剥取部とを備えていることを特徴とするケーブルストリッパー。
【請求項２】
前記心線切断部は、角度調整が可能な支持板を備え、該支持板に複数の切断刃が設けられ、
前記被覆剥取部は、前記心線切断部の支持板に追従して角度が調整される支持板を備え、該支持板に複数の剥取刃が設けられていることを特徴とする請求項１に記載のケーブルストリッパー。
【請求項３】
前記本体部には、前記複数本の心線の先端側の部分を把持する先端把持溝、及び後端側の部分を把持する後端把持溝が設けられ、
前記先端把持溝と前記後端把持溝との間に、前記各切断刃及び前記各剥取刃を前記本体部の長手方向に移動可能にガイドするガイド溝が設けられていることを特徴とする請求項１又は２に記載のケーブルストリッパー。
【発明の詳細な説明】
【技術分野】
【０００１】
本発明は、ケーブルストリッパーに関し、特に、多心ケーブルの複数本の心線を切断して被覆を剥ぎ取るのに有効なケーブルストリッパーに関する。
【背景技術】
【０００２】
通信回線を複数の局を中継する場合、その中継する箇所では隣接する局向けの搬送端局装置間をジャンパー線で接続することが行われている。この場合、ジャンパー線は、２〜６心であるため、接続する端子板に合わせて長さを調整して切断し、専用の皮むき器（例えば、特許文献１、２参照。）で被覆を剥ぎ取り、ラッピング工法等によって接続している。
【先行技術文献】
【特許文献】
【０００３】
【特許文献１】特開平５−７２４２０号公報
【特許文献２】特開２０００−１１５９３９号公報
【発明の概要】
【発明が解決しようとする課題】
【０００４】
しかし、端子板のピン間隔に合わせて、目測でジャンパー線の長さを調整して、一本ずつ切断して被覆を剥ぎ取っているため、経験の浅い作業者では、切断長さを合わせることが難しく、見栄えが悪くなる。また、切断長さが合わない場合には、再び、切断し、被覆を剥ぎ取る作業を行わなければならず、作業効率が悪くなる。
【０００５】
本発明は、上記のような従来の問題に鑑みなされたものであって、多心ケーブルの複数本の心線を切断し、被覆を剥ぎ取る作業を効率良く行うことができるとともに、経験の熟練度に関わらずに一定の品質が得られるケーブルストリッパーを提供することを目的とする。
【課題を解決するための手段】
【０００６】
上記のような課題を解決するために、本発明は、以下のような手段を採用している。
すなわち、本発明は、多心ケーブルの心線を所定の長さに切断し、かつ被覆を剥ぎ取るケーブルストリッパーであって、複数本の心線の先端側の部分及び後端側の部分を把持する本体部と、該本体部に設けられるとともに、前記複数本の心線を同時に切断可能な心線切断部と、前記本体部に設けられるとともに、前記複数本の心線の被覆を同時に剥ぎ取り可能な被覆剥取部とを備えていることを特徴とする。
【０００７】
本発明のケーブルストリッパーによれば、複数本の心線の先端側の部分及び後端側の部分を本体部で把持し、この状態で心線切断部により複数本の心線を同時に切断し、被覆剥取部により、切断した複数本の心線の被覆を同時に剥ぎ取ることができる。
【０００８】
また、本発明において、前記心線切断部は、角度調整が可能な支持板を備え、該支持板に複数の切断刃が設けられ、前記被覆剥取部は、前記心線切断部の支持板に追従して角度が調整される支持板を備え、該支持板に複数の剥取刃が設けられていることとしてもよい。
【０００９】
本発明のケーブルストリッパーによれば、心線切断部の支持板の角度を調整することにより、それに追従して被覆剥取部の支持板の角度が調整され、複数本の心線の切断長さが調整されることになる。
【００１０】
さらに、本発明において、前記本体部には、前記複数本の心線の先端側の部分を把持する先端把持溝、及び後端側の部分を把持する後端把持溝が設けられ、前記先端把持溝と前記後端把持溝との間に、前記各切断刃及び前記各剥取刃を前記本体部の長手方向に移動可能にガイドするガイド溝が設けられていることとしてもよい。
【００１１】
本発明のケーブルストリッパーによれば、本体部の先端把持溝によって心線の先端側が把持され、後端側把持溝によって心線の後端側が把持され、それらの把持溝間のガイド溝によって各切断刃及び各剥取刃がガイドされることになる。
【発明の効果】
【００１２】
以上説明したように、本発明のケーブルストリッパーによれば、作業効率を高めることができるとともに、作業者の熟練度に関わらずに一定の品質が得られる。
【図面の簡単な説明】
【００１３】
【図１】本発明によるケーブルストッパーの一実施の形態を示した概略平面図である。
【図２】図１の正面図である。
【図３】図１の右側面図である。
【図４】本体部の第１下板と第２上板及び第３上板との関係を示した説明図であって、第２上板及び第３上板を閉じた状態を示した説明図である。
【図５】第２上板及び第３上板を開いた状態を示した説明図である。
【図６】図１の左側面図である。
【図７】第２上板及び第３上板を閉じて、心線を切断し、被覆に切れ込みを入れている状態を示した説明図である。
【図８】本発明によるケーブルストッパーの一実施の形態を示した概略平面図であって、他の使用形態を示した説明図である。
【発明を実施するための形態】
【００１４】
以下、図面を参照しながら本発明の実施の形態について説明する。
図１〜図７には、本発明によるケーブルストリッパーの一実施の形態が示されている。本実施の形態のケーブルストリッパー１は、多心ケーブルの先端から露出させた複数本の心線５５を所定の長さに切断して被覆を剥ぎ取るのに有効なものである。なお、本実施の形態においては、６本の心線５５を有する多心ケーブルを対象としている。
【００１５】
すなわち、本実施の形態のケーブルストリッパー１は、図１〜図７に示すように、多心ケーブルの先端から露出させた６本の心線５５を支持する本体部２と、本体部２に設けられるとともに、各心線５５を所定の長さに切断する心線切断部２６と、本体部２に設けられるとともに、各心線５５から被覆を剥ぎ取る被覆剥取部３８とを備えている。
【００１６】
本体部２は、図１〜図３に示すように、平面視長方形状をなすものであって、長方形板状の第１下板３及び第２下板５と、第１下板３の上部に設けられる第１上板７、第２上板１１、及び第３上板１６と、第２下板５の上部に設けられる第４上板１９とを備えている。
【００１７】
第１上板７は、長方形板状をなすものであって、第１下板３の上部の図１及び図２中の右端部に蝶番２５ａを介して開閉可能に設けられている。第２上板１１は、Ｌ形板状をなすものであって、第１下板３の上部の第１上板７の左側に蝶番２５ｂを介して開閉可能に設けられている。第３上板１６は、第２上板１１と同様に、Ｌ形板状をなすものであって、第１下板３の上部の第２上板１１の左側に蝶番２５ｃを介して開閉可能に設けられている。第４上板１９は、長方形板状をなすものであって、第２下板５の上部に蝶番２５ｄを介して開閉可能に設けられている。
【００１８】
図４及び図５に示すように、第２上板１１は、第１下板３に蝶番２５ｂを介して連結されるコ形状の支持枠１２と、支持枠１２の内部に上下移動可能に設けられるＬ形板状の本体部１３と、本体部１３を支持枠１２に支持する支持ロッド１４と、本体部１３を図４の矢印方向に付勢するスプリング１５とから構成されている。
【００１９】
第３上板１６は、第２上板１１と同様に、第１下板３に蝶番２５ｃを介して連結されるコ形状の支持枠１７と、支持枠１７の内部に上下移動可能に設けられるＬ形板状の本体部１８と、本体部１８を支持枠１７に支持する支持ロッド１４と、本体部１８を図４の矢印方向に付勢するスプリング１５とから構成されている。
【００２０】
図１及び図３に示すように、第１下板３の上面側の第１上板７に対応する部分には、本体部２の長さ方向を向く断面半円形状の下溝４が本体部２の幅方向に所定の間隔ごとに６箇所に設けられている。各下溝４に対応する第１上板７の下面側の部分には、各下溝４と同一大きさの断面半円形状の上溝８がそれぞれ設けられている。各下溝４と各上溝８とによって各心線５５の先端側を把持する先端把持溝９が構成され、これらの６本の先端把持溝９によって６本の心線５５の先端側を把持する第１把持部１０が構成されている。
【００２１】
図１及び図６に示すように、第２下板５の上面側には、本体部２の長さ方向を向く断面半円形状の下溝６が本体部２の幅方向に所定の間隔ごとに６箇所に設けられている。各下溝６に対応する第４上板１９の下面側の部分には、各下溝６と同一大きさの断面半円形状の上溝２０がそれぞれ設けられている。各下溝６と各上溝２０とによって各心線５５の後端側を把持する後端把持溝２１が構成され、これらの６本の後端把持溝２１によって６本の心線５５の後端側を把持する第２把持部２２が構成されている。
【００２２】
なお、第１把持部１０の各先端把持溝９と第２把持部２２の各後端把持溝２１とは、同一直線上に設けられているものとする。
【００２３】
図１、図４、及び図５に示すように、第１下板３の上面側の第２上板１１及び第３上板１６に対応する部分には、断面四角形状の下刃ガイド溝２３が第１把持部１０の先端把持溝９及び第２把持部２２の後端把持部２１と同一ピッチで設けられている。各下刃ガイド溝２３に対応する第２上板１１及び第３上板１６の下面側の部分には、各下刃ガイド溝２３と同一大きさの断面四角形状の上刃ガイド溝２４がそれぞれ設けられている。各下刃ガイド溝２３によって後述する心線切断部２６の各第１下刃３３、及び被覆剥取部３８の各第２下刃４５が本体部２の長さ方向に移動可能にガイドされ、各上刃ガイド溝２４によって後述する心線切断部２６の各第１上刃３２、及び被覆剥取部３８の各第２上刃４４が本体部２の長さ方向に移動可能にガイドされる。
【００２４】
心線切断部２６は、図１及び図４に示すように、第２上板１１に設けられるとともに、第２上板１１のＡ点を中心として回転可能な帯板状の第１上刃支持板２７と、第１下板３の第１上刃支持板２７に対応する部分に設けられるとともに、第１下板３のＢ点を中心として回転可能な第１下刃支持板２９と、第１上刃支持板２７に取り付けられるとともに、第１上刃支持板２７の長さ方向に移動可能、かつ、各上刃ガイド溝２４によって本体部２の長さ方向に移動可能にガイドされる６枚の第１上刃３２と、第１下刃支持板２９に取り付けられるとともに、第１下刃支持板２９の長さ方向に移動可能、かつ、各下刃ガイド溝２３によって本体部２の長さ方向に移動可能にガイドされる６枚の第１下刃３３とを備え、上下に対向配置される各第１上刃３２と第１下刃と３３によって各切断刃３４が構成される。
なお、第２上板１１には、第１上刃支持板２７を回転可能に案内する案内溝が設けられ、第１下板３には、第１下刃支持板２９を回転可能に案内する案内溝が設けられている。
【００２５】
図４に示すように、第１上刃支持板２７及び第１下刃支持板２９は、調整ねじ３５を介して第２上板１１及び第１下板３に上下方向の位置の調整が可能に取り付けられ、この調整ねじ３５により第１上刃支持板２７及び第１下刃支持板２９の上下方向の位置を調整することにより、各切断刃３４の第１上刃３２と第１下刃３３との間隔を調整することができる。
【００２６】
図４に示すように、第１下刃支持板２９の長さ方向の端には、上方に突出した状態でロックピン３６が設けられるとともに、第１上刃支持板２７の長さ方向の端には、第１下刃支持板２９のロックピン３６を挿脱させるロック孔３７が設けられ、ロックピン３６をロック孔３７内に挿入させることにより、各切断刃３４の第１上刃３２と第１下刃３３とを対向させた状態に配置することができる。
【００２７】
図１に示すように、第１上刃支持板２７には、長さ方向に所定の間隔ごとに６箇所に長孔２８が設けられ、各長孔２８内を移動可能に挿通させたピン３１の下端に第１上刃３２がそれぞれ取り付けられている。第１下刃支持板２９には、長さ方向に所定の間隔ごとに６箇所に長孔３０が設けられ、各長孔３０内を移動可能に挿通させたピン３１の上端に第１下刃３３がそれぞれ取り付けられている。第１上刃支持板２７及び第１下刃支持板２９を回転させることにより、各第１上刃３２及び各第１下刃３３を各上刃ガイド溝２４内及び各下刃ガイド溝２３内を本体部２の長さ方向に移動させることができる。
【００２８】
被覆剥取部３８は、図１、及び図５に示すように、第３上板１６に設けられるとともに、第３上板１６のＣ点を中心として回転可能な帯板状の第２上刃支持板３９と、第１下板３の第２上刃支持板３９に対応する部分に設けられるとともに、第１下板３のＤ点を中心として回転可能な第２下刃支持板４１と、第２上刃支持板３９に取り付けられるとともに、第２上刃支持板３９の長さ方向に移動可能、かつ、各上刃ガイド溝２４によって本体部２の長さ方向に移動可能にガイドされる６枚の第２上刃４４と、第２下刃支持板４１に取り付けられるとともに、第２下刃支持板４１の長さ方向に移動可能、かつ、各下刃ガイド溝２３によって本体部２の長さ方向に移動可能にガイドされる６枚の第２下刃４５とを備え、上下に対向配置される各第２上刃４４と第２下刃４５とによって各剥取刃４６が構成される。
なお、第３上板１６には、第２上刃支持板３９を回転可能に案内する案内溝が設けられ、第１下板３には、第２下刃支持板４１を回転可能に案内する案内溝が設けられている。
【００２９】
図４に示すように、第２上刃支持板３９及び第２下刃支持板４１は、調整ねじ３５を介して第３上板１６及び第１下板３に上下方向の位置の調整が可能に取り付けられ、この調整ねじ３５により第２上刃支持板３９及び第２下刃支持板４１の上下方向の位置を調整することにより、各剥取刃４６の第２上刃４４と第２下刃４５との間隔を調整することができる。
【００３０】
図４に示すように、第２下刃支持板４１の長さ方向の端には、上方に突出した状態でロックピン３６が設けられるとともに、第２上刃支持板３９の長さ方向の端には、第２下刃支持板４１のロックピン３６を挿脱させるロック孔３７が設けられ、ロックピン３６をロック孔３７内に挿入させることにより、各剥取刃４６の第２上刃４４と第２下刃４５とを対向させた状態に配置することができる。
【００３１】
図１に示すように、第２上刃支持板３９には、長さ方向に所定の間隔ごとに６箇所に長孔４０が設けられ、各長孔４０内を移動可能に挿通させたピン４３の下端に第２上刃４４がそれぞれ取り付けられている。第２下刃支持板４１には、長さ方向に所定の間隔ごとに６箇所に長孔４２が設けられ、各長孔４２内を移動可能に挿通させたピン４３の上端に第２下刃４５がそれぞれ取り付けられている。第２上刃支持板３９及び第２下刃支持板４１を回転させることにより、各第２上刃４４及び各第２下刃４５を各上刃ガイド溝２４内及び各下刃ガイド溝２３内を本体部２の長さ方向に移動させることができる。
【００３２】
図１に示すように、心線切断部２６の第１下刃支持板２９の両端と被覆剥取部３８の第２下刃支持板４１の両端との間は、それぞれ連結板５０及び連結ピン５１を介して回動自在に連結され、第１下刃支持板２９のロックピン３６を第１上刃支持板２７のロック孔３７に挿入することにより、心線切断部２６の第１上刃支持板２７と被覆剥取部３８の第２上刃支持板３９、及び心線切断部２６の第１下刃支持板２９と被覆剥取部３８の第２下刃支持板４１とは、互いに連動するように構成されている。
【００３３】
図１に示すように、第２下板５は、第１下板３にスライダー５２を介して連結され、第１下板３の方向に接近、離隔可能に構成されている。スライダー５２としては、特に制限はなく、第２下板５を第１下板３の方向に接近、離隔可能に構成できるものであればよい。
【００３４】
次に、上記のように構成した本実施の形態のケーブルストリッパー１の作用について説明する。
まず、多心ケーブルの先端から露出させた６本の心線５５を斜めに切断する場合には、図１〜図３において、第１上板７、第２上板１１、第３上板１６、及び第４上板１９を開くことにより、第１下板３及び第２下板５の上面を開放させ、この状態で、第１把持部１０の各先端把持溝９の下溝４と第２把持部２２の各後端把持溝２１の下溝６との間に各心線５５を通し、第１上板７及び第４上板１９を閉じることにより、各心線５５の先端側を第１把持部１０で把持し、各心線５５の後端側を第２把持部２２で把持する。
【００３５】
次に、心線切断部２６の第１上刃支持板２７をＡ点を中心として回転させ、第１下刃支持板２９をＢ点を中心として回転させて、第１上刃支持板２７及び第１下刃支持板２９を所定の角度に調整することにより、第１上刃支持板２７及び第１下刃支持板２９に取り付けられている各切断刃３４の第１上刃３２及び第１下刃３３を、各上刃ガイド溝２４及び各下刃ガイド溝２３でガイドしながら両ガイド溝２４、２３に沿ってスライドさせ、各切断刃３４の第１上刃３２及び第１下刃３３を、第１上刃支持板２７及び第１下刃支持板２９に対応する各上刃ガイド溝２４内及び各下刃ガイド溝２３内の位置に位置決めする。
【００３６】
ここで、心線切断部２６の第１下刃支持板２９をＢ点を中心として調整ねじ３５´を回転させることにより、その回転が連結板５０及び連結ピン５１を介して被覆剥取部３８の第２下刃支持板４１に伝達され、第１下刃支持板２９に追従して、被覆剥取部３８の第２下刃支持板４１もＤ点を中心としてそれぞれ回転する。これにより、第２下刃支持板４１の角度が第１上刃支持板２７に対応した角度に調整され、第２下刃支持板４１に取り付けられている各剥取刃４６の第２下刃４５が、各下刃ガイド溝２３でガイドされながらガイド溝２３に沿ってスライドし、各剥取刃４６の第２下刃４５が、第２下刃支持板４１に対応する各下刃ガイド溝２３内の位置に位置決めし、第１下刃支持板２９を第１下板３に刃固定ねじ３５を締め付け刃の間隔を固定する。
【００３７】
そして、図４に示すように、第１下刃支持板２９の端のロックピン３６を第１上刃支持板２７の端のロック孔３７内に挿入させることにより、各切断刃３４の第１上刃３２と第１下刃３３とを対向させ、第１上刃支持板２７を第２上板１１に刃固定ねじ３５により固定する。
【００３８】
同様に、第２下刃支持板４１の端のロックピン３６を第２上刃支持板３９の端のロック孔３７内に挿入させることにより、各剥取刃４６の第２上刃４４と第２下刃４５とを対向させ、第２上刃支持板３９を第３上板１６に刃固定ねじ３５により固定する。
【００３９】
そして、図４、図５、図７に示すように、第２上板１１を閉じて、各切断刃３４の第１上刃３２と第１下刃３３との間で各心線５５を挟持することにより、各心線５５を切断するとともに、第３上板１６を閉じることにより、各剥取刃４６の第２上刃４４と第２下刃４５との間で心線５５の被覆に切り込みを入れる。
【００４０】
この場合、図７に示すように、第２上板５及び第３上板１６は、本体部１３、１８が支持枠１２、１７内において、スプリング１５の付勢力に抗して支持ロッド１４に沿って第１下板３の方向に垂直に移動することになるので、各切断刃３４の第１上刃３２と第１下刃３３、及び各剥取刃４６の第２上刃４４と第２下刃４５とを、それぞれ鉛直方向から合わせることができる。
【００４１】
そして、この状態で、図１及び図２に示すように、第２下板５及び第４上板１９を第１下板３から離れる方向に移動させることにより、各心線５５から被覆を除去することができ、各心線５５の導線を露出させることができる。
【００４２】
上記のように構成した本実施の形態のケーブルストリッパー１にあっては、多心ケーブルの先端から露出させた６本の心線５５を所定の長さに切断して被覆を剥ぎ取る場合に、６本の心線５５を同時に切断して、被覆を同時に剥ぎ取ることができるので、心線５５を所定の長さに切断し、心線５５から被覆を剥ぎ取る作業を効率良く行うことができる。
【００４３】
また、各心線５５を本体部２の第１把持部１０の先端把持溝９と第２把持部２２の後端把持溝２１との間に通して、第１上板７及び第４上板１９を閉じた状態で、第２上板５を閉じることにより、６本の心線５５を所定の長さに同時に切断でき、更に、第３上板１６を閉じて、第２下板５及び第４上板１９を第１下板３から離れる方向に移動させることにより、所定の長さに切断した各心線５５から被覆を剥ぎ取ることができるので、作業者の熟練度に影響されることなく、経験の浅い作業者であっても、各心線５５を所定の長さに切断して各心線５５から被覆を剥ぎ取ることができる。
【００４４】
なお、６本の心線５５を同一の長さに切断して、各心線５５から被覆をはぎ取る場合には、図８に示すように、心線切断部２６の第１上刃支持板２７及び第１下刃支持板２９を本体部２の長さ方向に直交する位置に位置決めし、これに追従して被覆剥取部３８の第２上刃支持板３９及び第２下刃支持板４１を同様に、本体部２の長さ方向に直交する位置に位置決めすればよい。
【００４５】
なお、上記の説明においては、本発明を６本の心線５５を切断して被覆を剥ぎ取る場合に適用したが、６本以外の本数の心線５の切断作業、及び被覆の剥ぎ取り作業に本発明を適用してもよい。
また、上記の説明においては、本体部２に６本の先端把持溝９、後端把持溝２１、下刃ガイド溝２３、上刃ガイド溝２４を設けたが、これらの数に制限はなく、これらを５本以下、７本以上に設定してもよい。
【符号の説明】
【００４６】
１  ケーブルストリッパー
２  本体部
３  第１下板
４  下溝
５  第２下板
６  下溝
７  第１上板
８  上溝
９  先端把持溝
１０  第１把持部
１１  第２上板
１２  支持枠
１３  本体部
１４  支持ロッド
１５  スプリング
１６  第３上板
１７  支持枠
１８  本体部
１９  第４上板
２０  上溝
２１  後端把持溝
２２  第２把持部
２３  下刃ガイド溝
２４  上刃ガイド溝
２５ａ〜２５ｄ  蝶番
２６  心線切断部
２７  第１上刃支持板
２８  長孔
２９  第１下刃支持板
３０  長孔
３１  ピン
３２  第１上刃
３３  第１下刃
３４  切断刃
３５  刃固定ねじ
３５´調整ねじ
３６  ロックピン
３７  ロック孔
３８  被覆剥取部
３９  第２上刃支持板
４０  長孔
４１  第２下刃支持板
４２  長孔
４３  ピン
４４  第２上刃
４５  第２下刃
４６  剥取刃
４８  ロックピン
４９  ロック孔
５０  連結板
５１  連結ピン
５２  スライダー
５５  心線
【図１】
2013162729.tif 000003
【図２】
2013162729.tif 000004
【図３】
2013162729.tif 000005
【図４】
2013162729.tif 000006
【図５】
2013162729.tif 000007
【図６】
2013162729.tif 000008
【図７】
2013162729.tif 000009
【図８】
2013162729.tif 000010